(57)【特許請求の範囲】
【請求項１】
外側に向かって開口する手挿入部と、
前記手挿入部を構成する壁面に配置されたノズルと、を備え、
前記ノズルから噴出した空気流により手に付着した水分を払拭する手乾燥装置であって、
前記ノズルの先端のノズル孔は波状のスリット形状であることを特徴とする手乾燥装置。
【請求項２】
前記手挿入部は、対向する壁面を有し、
前記ノズルは、前記手挿入部を構成する第１の壁面及び前記手挿入部を構成し前記第１の壁面に対向する第２の壁面のそれぞれに配置されることを特徴とする請求項１に記載の手乾燥装置。
【請求項３】
前記ノズル孔は、略正弦波状のスリット形状であることを特徴とする請求項１又は請求項２に記載の手乾燥装置。
【請求項４】
前記ノズル孔は、略三角波状のスリット形状であることを特徴とする請求項１又は請求項２に記載の手乾燥装置。
【請求項５】
前記ノズルは、
前記空気流の出口側に直線部分を有し、
前記直線部分において、前記空気流の流れ方向の長さが、前記流れ方向と直角の方向においてそれぞれ異なることを特徴とする請求項１〜請求項４のいずれか一項に記載の手乾燥装置。
【請求項６】
前記第１の壁面の前記ノズル孔の山部分と前記第２の壁面の前記ノズル孔の山部分とが対向せず、前記第１の壁面の前記ノズル孔の谷部分と前記第２の壁面の前記ノズル孔の谷部分とが対向しないように前記ノズル孔を配置したことを特徴とする請求項２、請求項２に従属する請求項３、請求項２に従属する請求項４、又は請求項２に従属する請求項５に記載の手乾燥装置。
【請求項７】
前記第１の壁面の前記ノズル孔の山部分と前記第２の壁面の前記ノズル孔における隣接する山部分の間の空間とが対向し、前記第１の壁面の前記ノズル孔の谷部分と前記第２の壁面の前記ノズル孔における隣接する谷部分の間の空間とが対向するように前記ノズル孔を配置したことを特徴とする請求項６に記載の手乾燥装置。
【請求項８】
前記ノズル孔において一部分に空気流を噴出させない閉領域を備えたことを特徴とする請求項１に記載の手乾燥装置。
【請求項９】
前記第１の壁面及び前記第２の壁面の前記ノズル孔において少なくともどちらかの一部分に空気流を噴出させない閉領域を備えたことを特徴とする請求項２、請求項２に従属する請求項３、請求項２に従属する請求項４、請求項２に従属する請求項５、請求項６、又は請求項７に記載の手乾燥装置。
【請求項１０】
前記ノズル孔において長手方向中央付近に空気流を噴出させない中央閉領域を備えたことを特徴とする請求項８又は請求項９に記載の手乾燥装置。
【請求項１１】
前記ノズルに、前記ノズルを短手方向に分ける分断板を備えたことを特徴とする請求項１に記載の手乾燥装置。
【請求項１２】
前記第１の壁面の前記ノズル及び前記第２の壁面の前記ノズルの少なくとも一方に、前記ノズルを短手方向に分ける分断板を備えたことを特徴とする請求項２、請求項２に従属する請求項３、請求項２に従属する請求項４、請求項２に従属する請求項５、請求項６、請求項７、又は請求項９に記載の手乾燥装置。
【発明の詳細な説明】
【技術分野】
【０００１】
本発明は、ノズル孔から噴き出される空気流により濡れた手を乾燥させる手乾燥装置に関するものである。
【背景技術】
【０００２】
ノズル孔から噴き出される空気流により濡れた手を乾燥させる手乾燥装置は、ペーパータオルやレンタルタオルと比べ、ランニングコストが安く、非接触で使用できるため衛生的であり、省メンテナンス性などの特長がある。
しかし、手乾燥装置は、ファン等により生成される空気流を吹出し口（以下に記載するノズル孔に相当）から噴出させるものであり、乾燥性能を高めるために空気流を高速化すると、騒音が増加するという課題があった。
また、上記の課題を解決する手乾燥装置として例えば、「箱体の正面及び側面を開放して挿通自在に設けられた手挿入部と、前記手挿入部の上下面部に各々配設され、高圧空気を高速の風として噴出させる断面形状が三次曲線のノズル孔を有する吹出ノズルと、前記吹出ノズルに高圧空気を送る高圧空気発生部とを具備することを特徴とする手乾燥装置。」というものがある（特許文献１参照）。
【先行技術文献】
【特許文献】
【０００３】
【特許文献１】特許第２７２０７２２号公報（１頁）
【発明の概要】
【発明が解決しようとする課題】
【０００４】
特許文献１のような手乾燥装置において、乾燥性能を低下させずにさらに騒音を低下させるために、気流の速度を低下させて風量を増加させる方法がある。そして、風量を増加させるためには、ノズル孔の面積を拡大する必要がある。しかし、特許文献１の手乾燥装置においては、空気流のノズル孔が略菊形状であるため、ノズル孔の面積を拡大すると径が大きくなりすぎるため、ノズル孔から異物が侵入するという課題があった。【０００５】
本発明は、上記のような課題を解決するためになされたものであり、乾燥性能を低下させずに騒音を低下させ、ノズル孔から異物が侵入することを防止することができる手乾燥装置を提供することを目的としている。
【課題を解決するための手段】
【０００６】
本発明における手乾燥装置は、外側に向かって開口する手挿入部と、前記手挿入部を構成する壁面に配置されたノズルと、を備え、前記ノズルから噴出した空気流により手に付着した水分を払拭する手乾燥装置であって、前記ノズルの先端のノズル孔は波状のスリット形状としたものである。
【発明の効果】
【０００７】
本発明により、ノズル孔が波状であることにより乾燥性能を低下させずに騒音を低下させ、ノズル孔がスリットであることによりノズル孔から異物が侵入することを防止する手乾燥装置を得ることができる。
【図面の簡単な説明】
【０００８】
【図１】本発明の実施の形態１における手乾燥装置を示す側断面図である。
【図２】本発明の実施の形態１における手乾燥装置の概観を示す斜視図である。
【図３】本発明の実施の形態１における手乾燥装置のノズル孔を示す正面図である。
【図４】図３のＡ１，Ａ２及びＡ３の断面図である。
【図５】本発明の実施の形態１における手乾燥装置の正面側のノズル孔に背面側のノズル孔を投射した正面図である。
【図６】本発明の実施の形態２における手乾燥装置のノズル孔を示す正面図である。
【図７】本発明の実施の形態３における手乾燥装置の正面側のノズル孔の正面図及び背面側のノズル孔の正面図である。
【図８】本発明の実施の形態４における手乾燥装置のノズル孔の正面図である。
【図９】図８のＣ１，Ｃ２及びＣ３の断面図である。
【図１０】本発明の実施の形態５における手乾燥装置を示す縦断面図である。
【発明を実施するための形態】
【０００９】
以下、本発明における手乾燥装置の一例について、図面を用いて詳細に説明する。
【００１０】
実施の形態１．
図１は、本発明の実施の形態１における手乾燥装置の側断面図であり、図２は、本発明の実施の形態１における手乾燥装置の概観を示す斜視図である。
なお、以下に説明する全ての図面において、紙面上部を手乾燥装置又はその構成部分の上部とし、紙面下部を手乾燥装置又はその構成部分の下部とする。
【００１１】
図１に示すように、本発明の実施の形態１における手乾燥装置は、手乾燥装置本体の外郭をなす箱体１と、箱体１の上面および側面を開放して挿通自在に空けられた手挿入部２を備えている。ここで、図２に示すように手挿入部２の両側面における開口部２ａ、２ｂは、手が挿入しやすいように開放されている。なお、両側の開口部２ａ、２ｂは、塞がれていてもよく、開放されていた場合と同等の乾燥性能を得ることができる。また、この手挿入部２の内壁には例えば、シリコン系もしくはフッ素系等の撥水性コーティング、酸化チタン等の親水性を有するコーティング、又は抗菌剤を含浸させる。これにより、内面に汚れが付着するのを軽減したり、細菌が繁殖するのを低減するようにしてある。
【００１２】
また、図１に示すように手挿入部２の正面側の外側壁面（本発明における第１の壁面に相当）にノズル４ａが設けられており、手挿入部２の背面側の外側壁面（本発明における第２の壁面に相当）にノズル４ｂが設けられている。そして、ノズル４ａ及び４ｂは互いに対向する位置及び角度に設けられている。そして、ノズル４ａ及び４ｂの先端には、波状でスリット形状のノズル孔５が、その長手方向が手乾燥装置の左右方向と略平行となるようにそれぞれ空けられている。そして、空気流がノズル孔５を通過して手挿入部２に流出することで手を乾燥させることができる。また、２つのノズル４ａ，４ｂが対向するように設けられているため、手挿入部２に挿入した手（図示せず）の甲側と掌側の双方に風を同時に当てることができる。なお、手乾燥時間を短くするために、風速及びノズル４ａ及び４ｂの間隔等が最適になるよう考慮されている。
【００１３】
また、ノズル孔５から手挿入部２に空気を流出させるため、ノズル孔５の入口側の圧力を高くする必要がある。そのための加圧装置として、図１に示すように、箱体１の内部にブロア６（本発明における空気流発生部に相当）が設置されている。ブロア６は、主にモーターとファンによって構成される。また、ブロア６の一例として、ＤＣブラシレスモータを駆動させるための駆動回路（図示せず）と、ＤＣブラシレスモータによって回転するターボファン（図示せず）とにより構成されるものがある。
【００１４】
また、箱体１において、ブロア６の上流側の空間８と下流側の空間７はブロア６によって仕切られている。吸気口９から流入する空気は、ブロア６によって高圧の空気流となる。そして、ブロア６から流出する空気流は、下流側の空間７において２つの経路に分岐して、各々のノズル孔５に流入する。なお、ブロア６の上流側である空間８は、曲がり流路になっている。これにより、吸気口９から流入する空気にとってわずかな抵抗にはなるが、ブロア６で発生した騒音が周囲に放射されにくくなる効果を有する。また、手挿入部２の底面には手から飛散した水を排水する排水口（図示せず）が設けられており、排水口には排水管（図示せず）が接続され、排水管にはここから流出するドレン水を溜めるドレンタンク（図示せず）が接続されている。
【００１５】
また、手挿入部２の入口近傍の正面側及び背面側並びに手挿入部２の下部の正面側及び背面側には手を検知するセンサー（図示せず）が配置されている。そして、制御回路（図示せず）は、このセンサーからの信号を処理し、その処理結果に基づいてブロア６の運転等を適宜制御している。
なお、本実施の形態１における手乾燥装置の全体構成は、上記に限られるものではなく、ノズル孔５から空気流を噴出させることができる構成であればよい。
【００１６】
次に、本実施の形態１における手乾燥装置の動作について説明する。
例えば、手挿入部２へ濡れた手が挿入され、その手をセンサーが検出すると、制御回路（図示せず）へ手検出信号が送られる。そして制御回路は、ブロア６を始動させ、ターボファン（図示せず）が回転する。そして、吸気口９から吸い込まれた空気流は、空間８を通過しブロア６に流入し、ブロア６により高圧の空気流になる。そして、高圧になった空気流は、上流側の空間７で２つに分岐し、ノズル４ａ及び４ｂに設けられたノズル孔５から噴出される。噴出された空気流は、手挿入部２に挿入された手の甲側と掌側の双方に当たり、手に付いた水を飛散及び気化させる。そして、使用者の手が手挿入部２から抜けると、センサーの手検出信号がなくなり、制御回路はブロア６を停止させる。
【００１７】
上記の手乾燥装置において、大きな騒音を発生する要素として、静止した壁面近傍を高速な空気流が流れるノズル孔５、各々のノズル孔５から噴出した高速な空気流が衝突する手挿入部２、高速回転体を有するブロア６の３つがある。ブロア６は、箱体１の内部に収納されているため、他の２つよりも騒音のオーバーオール値に与える影響は小さい。そのため、手乾燥装置の騒音を低減するためには、ノズル孔５及び手挿入部２の騒音を低減する必要がある。ここで、ノズル孔５における騒音及びノズル孔５から噴出した高速な空気流が、手挿入部２で衝突することによる騒音は、ノズル孔５の形状による影響が大きい。
【００１８】
図３は、本発明の実施の形態１における手乾燥装置のノズル孔５を示す正面図である。
図３に示すようにノズル孔５は、長手方向に複数の山と谷がある波状（略正弦波状）のスリットとなっている。そして、Ａ部拡大図に示すように、ノズル孔５の谷の部分は、上端の外郭１２ａと下端の外郭１２ｂから成り、その外郭１２ａに囲まれた空間１４がある。そして、ノズル孔５の山の部分は、上端の外郭１３ａと下端の外郭１３ｂから成り、その外郭１３ｂに囲まれた空間１５がある。
【００１９】
次に、波状のノズル孔５による騒音低減効果について説明する。
高速な気流がノズル孔５から噴出するときに発生する騒音の源は、大きく分けると三つある。一つ目は、ノズル孔５の表面に形成される境界層から発生する境界層騒音である。二つ目は、ノズル孔５の下流側出口から放出される渦の放出によって発生する渦騒音である。三つ目は、ノズル孔５から噴出された気流のうち攪拌の影響を受けないポテンシャルコアの主流とその周囲の静止した空気との速度差によって生じた乱流拡散層のせん断流から発生する噴流騒音である。
【００２０】
ここで、噴流騒音に着目すると、周囲の静止した空気と高速な空気の流れの速度差を小さくすることによって騒音を低減できる。つまり本発明の実施の形態１における手乾燥装置では、ノズル孔５から流出する空気流と周囲の静止した空気との速度差が問題となる。
本発明の実施の形態１におけるノズル孔５は、前述したように波状であり、隣接する山部分の間の空間１４及び隣接する谷部分の間の空間１５がある。例えば、空間１４においては、ノズル孔５の１２ａ及び１２ｂの間の隙間から噴出した空気流によってエネルギーが供給され、空気が誘起される。この場合、空間１４の誘起された空気流の速度は、直線状のノズル孔の場合の周辺の空間の速度より大きくなる。その結果、直線状のノズル孔の場合よりも、ノズル孔５から直接噴出された高速な空気流と周辺の空間の空気流との速度差が小さくなり、発生する噴流騒音が低減する。なお、空間１５における空気流についても同様にノズル孔５から直接噴出された空気流との速度差が小さいため、発生する噴流騒音が低減する。
【００２１】
ただし、外郭１２ｂの下方の空間１６周囲をノズル孔で囲まれていないため、直線状のノズル孔の場合と同じように、ノズル孔５から直接噴出された空気流と周辺の空気流との速度差が大きくなり、騒音は低減しない。しかし、ノズル孔５の上下方向に騒音が低減した空間１４と騒音が低減しない空間１６が形成されるので、騒音源となる流れの変化（圧力変動）の位相が、手挿入部２において上下方向に一致しなくなる。そのため、音の相関面積が小さくなり、騒音を低減することができる。これに対し、直線状のノズル孔の場合は、ノズル孔の上下方向、幅方向ともに空気流の位相が一致した状態であり、位相の一致によって騒音が増大する。なお、外郭１３ａの上方の空間１７についても騒音の状態は上述した空間１６の状態と同様である。
【００２２】
図４は、図３のＡ１、Ａ２及びＡ３の断面図である。
ここでＡ１は、ノズル孔５の山部分の中心を通る線であり、Ａ２は、山部分と谷部分の境界を通る線であり、Ａ３は、谷部分の中心を通る線である。ここで、Ａ１断面図について、ノズル４ａの断面形状を説明する。図４において、空気流はノズル４ａの紙面に流れる。そして、ノズル４ａは、圧力損失を小さくするため、ノズル入口１８において、空気流の下流側に向けて隙間が少しずつ縮小するようにＲ面取りがなされている。そして、空気が流れる場合、この隙間の減少に伴って、少しずつ増速する。また、ノズル入口１８とノズル孔５の間には同じ間隔の隙間が続く直線部１９がある。ノズル入口１８において増速した空気は直線部１９を通過しノズル孔５から手挿入部２に噴出される。
【００２３】
ここで、ノズル入口１８のＲ面において、空気流の速度は、上下の壁面近傍から中心までほぼ同じ速度である。しかし、空気流が直線部１９を通りノズル孔５に近づくにつれ、中心付近が最大で上下の壁面近傍が小さい放物線状の速度分布となる。ノズル孔５の壁面近傍の速度が小さいほど境界騒音が小さくなるため、直線部１９を長くし上記のような速度分布にすることで、騒音が低減する。ただし、直線部１９が長くなりすぎると、高速な空気と静止した壁面との間で生じる摩擦による圧力損失が大きくなるため、適当な長さにすることが必要である。筆者らの実験においては、最適な直線部１９の長さはノズル４ａの上下方向の幅の４倍から１０倍程度である。
【００２４】
また、図４に示すように、ノズル４ａの直線部１９の長さ（空気流の流れ方向の長さ）はＡ１、Ａ２、Ａ３の順に長い。つまり、ノズル４ａの空気流の流れ方向の長さが、流れ方向と直角の方向においてそれぞれ異なる。これにより、ノズル孔５までの流れの発達状態が異なることとなり、ノズル孔５での速度分布をノズル孔５の長手方向に変化させることができる。その結果、ノズル孔５で発生する渦騒音の音源となる圧力変動の位相をノズル孔５の長手方向にずらし、音の相関面積を小さくすることができ、騒音を低減することができる。
なお、図４においてノズル４ａについて説明したが、ノズル４ｂについても同一の形状にすることで同様の効果を奏することができる。
【００２５】
ここまで、ノズル孔５における騒音の低減方法について述べた。前述したように、手乾燥装置の騒音の別の要素として、各々のノズル孔５から噴出した対向する高速な空気流が衝突する手挿入部２における騒音がある。手乾燥装置において、手を乾燥させる際は、手が正面側及び背面側からの対向する気流の衝突を遮るが、手がない部分では対向する空気流が衝突するため、その騒音を低減させることも重要である。
【００２６】
図５は、本発明の実施の形態１における手乾燥装置の正面側のノズル孔５に背面側のノズル孔５を投射した正面図である。
上記のような対向する高速な空気流の衝突による騒音を低減するためには、衝突する空気流の速度をノズル孔の長手方向に変え、衝突位置での圧力変動の位相をずらす必要がある。ノズル孔５の下流の空気流の断面の速度分布はノズル孔５の中心を極値とする放物線状で、対向するノズル孔５の位置関係やノズル孔５から衝突位置までの距離を変えれば衝突する空気流の速度が変わる。図５において、実線が正面側のノズル孔５であり、破線が背面側のノズル孔５である。ここで、図５のように、正面側のノズル孔５と背面側のノズル孔５を互いの山部分同士、及び谷部分同士が対向しないように配置する。つまり、正面側のノズル孔５の山部分と背面側のノズル孔５の隣接する山部分の間の空間１４とが対向し、正面側のノズル孔５の谷部分と、背面側のノズル孔５の隣接する谷部分の間の空間１５とが対向するように配置される。
【００２７】
上述したように空間１４及び空間１５における空気流は、ノズル孔５から誘起された空気流のため、ノズル孔５から直接噴出した空気流よりも流速が遅い。そのため、正面側及び背面側のノズル孔５を上記に示した構成にすることで、ノズル孔５から直接噴出した空気流同士が衝突する面積が少なくなるため、発生する騒音が低減できる。また、図５に示す正面側及び背面側のノズル孔５が対向する部分、つまりノズル孔５における谷部分と山部分の間の領域においては、ノズル孔５から噴出した空気流同士が直接衝突するため衝突時の速度が速い。しかし、ノズル孔５の長手方向に速度分布を持つことになるため、衝突位置での圧力変動の位相がずれ、衝突によって発生する騒音を低減できる。
また、本実施の形態１では、正面側と背面側のノズル孔５をともに波状とした場合について説明したが、どちらか一方を直線状のノズル孔としても、同様に衝突位置においてノズル孔５の長手方向の音源となる圧力変動の位相をばらばらにできるため、衝突によって生じる騒音を低減できる。さらに、波の山と山（または谷と谷）のピッチを正面側と背面側で異なるようにしても、同様に衝突位置においてノズル孔５の長手方向の音源となる圧力変動の位相をばらばらにできるため、衝突によって生じる騒音を低減できる。
【００２８】
なお、本実施の形態１におけるノズル孔５は、正面側のノズル孔５と背面側のノズル孔５を互いの山部分同士、又は谷部分同士が対向しなければよく、図５に示した配置に限られるものではない。
【００２９】
ここで、ノズル孔５を対向させて配置させたときのノズル孔５の短手方向の長さについて説明する。本発明の実施の形態における手乾燥装置は、対向したノズル孔５のうち、一方は掌、もう一方は手の甲に高速な空気流を衝突させ、手に付着した水滴を飛散・蒸発させ、乾燥させる。しかし、掌は手の甲と比較して、複数の皺があり、水滴を保持しやすくなっているため、掌を乾燥させるには、手の甲側よりも空気流の速度や流量が必要である。掌側の空気流の速度や流量を大きくするため、掌側のノズル孔５の短手方向の長さを手の甲側のノズル孔５よりも大きくする。ノズル孔５付近の空気流の速度を保持した領域であるポテンシャルコアの最遠点は、ノズル孔５の短手方向の長さに比例して遠くなり、ノズル孔５の短手方向の長さが長いほど、手に衝突する空気の速度や流量は増加するためである。
【００３０】
以上のように、ノズル孔が波状であることにより乾燥性能を低下させずに騒音を低下させ、ノズル孔がスリット形状であることにより吹出し口から異物が侵入することを防止する手乾燥装置を得ることができる。
また、ノズル入口１８をＲ面にし、直線部１９の長さを最適にすることで、境界騒音を低減することができる。また、ノズル４ａの直線部１９の長さ（空気流の流れ方向の長さ）を流れ方向と直角方向に異なる長さとすることで、渦騒音を低減できる。
また、正面側のノズル孔５と背面側のノズル孔５とを、直接噴出した空気流同士が衝突する面積が少なくなるように配置することで手挿入部２における空気流の衝突による騒音を低減することができる。
【００３１】
実施の形態２．
図６は、本発明の実施の形態２における手乾燥装置のノズル孔５を示す正面図である。また、本実施の形態２における手乾燥装置の構成及び機能は、特に記載しない場合は実施の形態１で示したものと同様であるものとする。
図６に示すようにノズル孔５は、ノズル孔５の長手方向に複数の山と谷がある波状（略三角波状）のスリット形状となっている。そして、Ｂ部拡大図に示すように、ノズル孔５の谷部分は、上端の外郭２３ａと下端の外郭２３ｂから成り、外郭２３ａに囲まれた空間２１がある。そして、山部分は、上端の外郭２４ｂと下端の外郭２４ａから成り、外郭２４ａに囲まれた空間２２がある。
【００３２】
ここで、実施の形態１の図３に示したようにノズル孔５が正弦波状の場合、例えば外郭１２ｂにおいて、波の最下部は直線に近くなっている。そのため、周辺の静止した空気に速度を生じさせるエネルギーは、空間１４における量よりも、波の最下部付近の空間１６における量の方が与えられる領域が限られるため、少なくなる。
【００３３】
これに対し、本実施の形態２においては、外郭２３ａ及び外郭２３ｂの傾斜部分は直線であり、外郭２３ｂにおいて波の最下部は屈曲している。ノズル孔５をこのような形状にすることにより、与えられるエネルギー量の多い空間２１及び空間２２の面積は、図３における空間１４及び空間１５よりも大きい。つまり、図３に示した正弦波形状と比べてノズル孔５と周辺空間の速度差が大きい部分を少なくできるため、より噴流騒音を低減できる。
【００３４】
ただし、周辺の静止した空気への影響を大きくしすぎると、手挿入部２において乾燥に影響する最大速度を小さくする可能性もある。そのため、騒音だけでなく乾燥性能を考慮し、外郭２３ａ又は外郭２４ａの傾斜角度等を適切に選択する必要がある。
【００３５】
また、ノズル４ａ及び４ｂの側断面形状については、実施の形態１の図４に示したものと同様に、ノズル入口１８をＲ面にし、直線部１９の空気流の流れ方向の長さが、流れ方向と直角の方向においてそれぞれ異なるようにしてもよい。これにより、実施の形態１と同様に、ノズル孔５の長手方向の渦騒音の音源となる圧力変動の位相をばらばらにでき、より騒音を低減できる。
【００３６】
さらに、対向するノズル孔５の配置についても、実施の形態１の図４に示したものと同様に、正面側のノズル孔５の山部分と対向する背面側の隣接する山部分の間の空間を対面させるように配置してもよい。これにより、実施の形態１と同様に、対向する空気流の衝突によって生じる騒音を低減できる。
また、本実施の形態では、正面側と背面側のノズル孔５をともに三角波状とした場合について説明したが、どちらか一方を直線状のノズル孔としても、同様に衝突位置においてノズル孔５の長手方向の音源となる圧力変動の位相をばらばらにできるため、衝突によって生じる騒音を低減できる。
さらに、三角波の山と山（または谷と谷）のピッチを正面側と背面側で変更しても、同様に衝突位置においてノズル孔５の長手方向の音源となる圧力変動の位相をばらばらにできるため、衝突によって生じる騒音を低減できる。
【００３７】
以上のように、ノズル孔が三角波状であることにより乾燥性能を低下させずに騒音を低下させることができ、ノズル孔がスリット形状であることにより吹出し口から異物が侵入することを防止する手乾燥装置を得ることができる。また、ノズル孔が三角波状であることにより、正弦波状のノズル孔と比べてノズル孔とその周辺との空気流の速度差が小さい領域が大きくなり、騒音をより低下することができる。
【００３８】
実施の形態３．
図７は、本発明の実施の形態３における手乾燥装置の正面側のノズル孔５の正面図及び背面側のノズル孔５の正面図である。また、本実施の形態３における手乾燥装置の構成及び機能は、特に記載しない場合は実施の形態１で示したものと同様であるものとする。
図７の（ａ）は正面側のノズル孔５であり、（ｂ）は対向する背面側のノズル孔５である。なお、実施の形態１の図５に示したものと同様に、正面側のノズル孔５の山部分と背面側のノズル孔５の谷部分に囲まれる空間が対向するように配置されている。
【００３９】
図７において、本実施の形態３の手乾燥装置は、使用者が手挿入部２に両手を挿入して乾燥させるため、ノズル孔５の幅２７が、人の両手の幅よりも大きくなるように設定される。そして、使用者が両手を乾燥させる際、手挿入部２の中央付近は、右手と左手の間に当たるため、手が位置しないことがほとんどである。そのため、ノズル孔５の中央付近からは、乾燥に寄与しない空気流を手挿入部２に噴出していることになる。騒音を低減するためには、乾燥に寄与しない高速な流れをできるだけ消滅させることが重要である。そのため、ノズル孔５の長手方向中央付近に、空気流が通過しないように塞がれた中央閉領域２８を設ける。これにより、手挿入部２において、使用者の手がなく対向する空気流が衝突する領域を少なくすることができるので、騒音を低減することができる。
【００４０】
ここで、ノズル孔５に中央閉領域２８を設けるにあたり、正面側と背面側を異なる範囲で塞いだほうがよい。これにより、手挿入部２における正面側の中央閉領域２８と背面側の中央閉領域２８の間の領域にも周囲の高速な気流が拡散した、速度が小さい流れが存在するようになる。これは、正面側と背面側の中央閉領域２８を同じ範囲にした場合、空気流が完全になくなる領域ができるので、その領域に手を挿入して乾燥させる特定の使用者に対しては、乾燥状態が不十分になる可能性があるためである。
【００４１】
また、ノズル孔５において中央閉領域２８以外の部分も特定の小さい範囲において空気流が噴出しない閉領域２９を設けたほうがよい。これは、手挿入部２において、高速な空気流が衝突する位置としない位置がノズルの幅方向にランダムに存在させるためである。これにより、衝突によって発生する騒音のノズル孔５の長手方向の位相が揃い、増幅されることを避けることができ、騒音を低減できるからである。なお、閉領域２９は正面側と背面側のノズル孔５において、対向しない位置に設けたほうがよい。これは、閉領域２９を対向する位置に設けた場合、手挿入部２の特定部分の空気流がなくなり、使用者の手の乾燥状態が不十分になる可能性があるためである。
また、高速な気流が噴出しない閉領域２９が大きくなりすぎると、手に付着した水を飛散・乾燥させる高速な空気流の幅が減少するため、乾燥性能の低下を引き起こす。よって、高速な空気流が噴出しない閉領域２９は大きすぎないようにしたほうがよい。
【００４２】
以上により、ノズル孔５において、中央閉領域２８のような空気流が噴出しない領域を設けたため、空気流の衝突が少なくなり、騒音を低減することができる。また、ノズル孔５において、中央閉領域２８以外にも空気流が噴出しない閉領域２９を設けたため、衝突によって発生する騒音のノズル孔５の長手方向の位相が揃い、増幅されることを避けることができ、騒音を低減できる
【００４３】
ここで、本実施の形態３における波状のノズル孔５は、実施の形態２の図６に示したような三角波状でもよい。そのようなノズル孔５においても、上述したように空気流が噴出しない領域を設けることにより、同様に騒音を低減することができる。
また、図７において中央閉領域２８に対しての左右方向（長手方向）の閉領域２９の位置が異なっているが、乾燥性能の観点から、中央閉領域２８を中心として閉領域２９の位置を左右対称としてもよい。
【００４４】
実施の形態４．
図８は、本発明の実施の形態４における手乾燥装置のノズル孔５の正面図であり、図９は、図８のＣ１，Ｃ２及びＣ３の断面図である。なお、本実施の形態４における手乾燥装置の構成及び機能は、特に記載しない場合は実施の形態１で示したものと同様であるものとする。
図８において、ノズル孔５の外郭の形状は、実施の形態１における図３に示されているものと同様に波状であるが、ノズル孔５の短手方向中央付近に、ノズル孔５を上下方向に分ける分断板３０が設けられている。また、分断板３０の正面方向の形状は、波状であるノズル孔５に沿う形状である。また、図９に示すように分断板３０の断面形状は、ノズル孔５の出口側３２からノズル孔５の入口側３１に向かって、上下方向の幅が大きくなるような形状である。
【００４５】
そして、図８、図９に示すノズル孔５から空気流が噴出される場合、分断板３０の出口側３２の上下から、それぞれ高速な空気流が噴出される。一般的に、二次元の速度分布を持つ高速な空気流が隣り合って存在すると、それぞれの噴流が強めあい、より高速な一つの噴流が形成される。そのため、ノズル孔５からある程度離れた位置において、二つの噴流が合成してできた一つの合成噴流速度は、分断板３０がない場合のノズル孔５からの噴出速度よりも大きくなる。つまり、手挿入部２における速度が大きいので、手に付着した水滴の飛散及び乾燥させる能力が高くなり、より短時間で手を乾燥させることができる。
【００４６】
一方、一つのノズル孔５を用いた場合の手挿入部２における噴流速度と同じ速度を、本実施の形態４におけるノズル孔５を用いて得ようとした場合、ノズル孔５の出口付近の流速を小さくすることができる。つまり、本実施の形態４におけるノズル孔５を用いることで、ノズル孔５の出口付近の噴流速度は小さくても同じ乾燥性能を得ることができる。ここで、ノズル孔５から発生する騒音は、ノズル孔５の出口速度の５乗〜６乗に比例して大きくなる。そのため、本実施の形態４において、ノズル孔５に分断板３０を備えたことで、手乾燥装置の騒音を低減することができる。
【００４７】
なお、本実施の形態４のノズル孔５において、略正弦波状のノズル孔について説明したが、実施の形態２に示したような三角波状のノズル孔５を用いても上記同様の騒音低減効果を奏することができる。また、実施の形態３に示したようにノズル孔５の一部を塞いでもよく、その場合も上記と同様の騒音低減効果を奏することができる。
【００４８】
実施の形態５．
図１０は、本発明の実施の形態５における手乾燥装置の縦断面図である。
図１０に示すように、外殻をなす箱体４１は、正面に手挿入口４２を有し、手挿入口４２に続く処理空間として手挿入部４３を備えており、手を挿抜できるようにしてある。手挿入部４３は、箱体４１の正面（紙面左方向）下部に、正面と両側面が開放した開放シンク状の凹部として形成されている。また、下部を形成する水受け部４４と奥側（紙面右方向）とにはその端縁部に曲面構成の立上がりによる防壁構造４５が設けられ、側方や手前側に水が飛散しないようになっている。水受け部４４の底部は前方に向かって下傾していて、その傾斜下端に排水口４６が設けられている。
【００４９】
水受け部４４の下方には排水口４６から滴下する水を貯留するドレン容器４７が抜き挿し自在に設けられている。なお、手挿入部４３の内面には、シリコン系もしくはフッ素系等の撥水性コーティング、酸化チタン等の親水性を有するコーティング、又は抗菌剤が含浸され、内面に汚れが付着するのを軽減したり、細菌が繁殖するのを低減するようにしてある。
【００５０】
箱体４１内には高圧空気流発生装置４８が組み込まれており、ＤＣブラシレスモータ（通常の整流子モーター又は誘導電動機であってもよい）と、これを駆動させる駆動回路及びＤＣブラシレスモータによって回転するターボファンとにより構成されて、箱体４１の手挿入部４３の真上に取り付けられている。高圧空気流発生装置４８の吸気側は、箱体４１の背面側であって手挿入部４３の奥側背面に近接して縦方向に設けられた下端の開放した吸気通路５０に臨んでおり、吸気通路５０の下端から着脱可能のエアーフィルター５１を通じて空気を吸込むことができるようになっている。
【００５１】
高圧空気流発生装置４８の吹出口は、円形カップ状のファンケーシングの外周に、周方向に間隔を置いて、複数個が半径方向に向かって開設されている。このファンケーシングの外側は、ターボファンの回転方向に沿う方向に誘導路を設けた円形カップ状のケーシング４９によって覆われ、ケーシング４９の誘導路の端に、高圧空気流発生装置４８から送られてくる高圧空気を高速の気流に変換して手挿入部４３に吹出すノズル５２が接続されている。
【００５２】
ノズル５２は、手挿入部４３の手挿入口近傍の上部に噴出口を下向きにして取付けられており、ノズル５２に形成されたノズル孔５３ａ及び５３ｂから手挿入部４３内に挿入した手に付着した水分を吹飛ばす高速の気流を吹付け、手を摺り合わせることなく水滴を手の表面から剥離して吹飛ばす。なお、ノズル５２の背後には、手挿入部４３に面して手の挿抜を検知する手検知センサー５４が設けられている。
【００５３】
ノズル５２の先端に設けられたノズル孔５３は、箱体４１の幅方向（図１０の紙面の前後方向）がノズル孔５３の長手方向となるよう配向され、例えば実施の形態１の図３に示したノズル孔５と同様に該波状のスリットに形成される。また、ノズル孔５３は、第１のノズル孔５３ａ及び第２のノズル孔５３ｂの２列のノズル孔により構成され、箱体４１の前後方向（図１０の紙面の左右方向）に設けられている。なお、本実施の形態５におけるノズル孔は１列であってもよく、３列以上あってもよいことは言うまでもない。
なお、波状のノズル孔５３ａ及び５３ｂによる騒音低減効果については実施の形態１のノズル孔５について説明したものと同様であるため説明は省略する。
【００５４】
以上により、本実施の形態５におけるノズル孔を対向に配置していない手乾燥装置においても、波状のノズル孔にすることより、実施の形態１及び２の手乾燥装置と同様に、騒音を低減できる。
また、ノズル５２は、例えば実施の形態１の図４で示したノズル４ａと同一の形状のものを用いることで、同一の効果を奏することができる。
また、ノズル孔５３ａ及びノズル孔５３ｂは、実施の形態２の図６に示したような三角波状であってもよく、同一の効果を奏することができる。
【符号の説明】
【００５５】
１  箱体、２  手挿入部、２ａ，２ｂ  開口部、４ａ，４ｂ  ノズル、５  ノズル孔、６  ブロア、７，８  空間、９  吸気口、１２ａ，１２ｂ，１３ａ，１３ｂ  外郭、１４，１５，１６，１７  空間、１８  ノズル入口、１９  直線部、２１，２２  空間、２３ａ，２３ｂ，２４ａ，２４ｂ  外郭、２５，２６  空間、２７  幅、２８  中央閉領域、２９  閉領域、３０  分断板、３１  入口側、３２  出口側、４１  箱体、４２  手挿入口、４３  手挿入部、４４  水受け部、４５  防壁構造、４６  排水口、４７  ドレン容器、４８  高圧空気流発生装置、４９  ケーシング、５０  吸気通路、５１  エアーフィルター、５２  ノズル、５３，５３ａ，５３ｂ  ノズル孔、５４  手検知センサー。
【図１】
0005511963.tif 000002
【図２】
0005511963.tif 000003
【図３】
0005511963.tif 000004
【図４】
0005511963.tif 000005
【図５】
0005511963.tif 000006
【図６】
0005511963.tif 000007
【図７】
0005511963.tif 000008
【図８】
0005511963.tif 000009
【図９】
0005511963.tif 000010
【図１０】
0005511963.tif 000011